(57)【要約】    【課題】受信機における消費電力を抑えて低電力化を図るとともに、間欠受信の動作を安定かつ正常に行う。    【解決手段】受信機１の受信部１０において、通話音声、制御データ等のデータ信号Ｓ1の到来電波信号が受信された受信回路１０２は、局部発振回路１００から出力される局部発振信号Ｓ10と到来電波信号とを混合して中間周波数を生成し検波して受信信号Ｓ11を生成し、この受信信号を検出した制御回路１０５がＡＮＤ回路１０６を制御することにより、局部発振回路から受信回路に出力される局部発振信号の発振状態が安定した後に受信電源回路１０３から受信回路に動作電源の供給が開始され、受信回路におけるデータ信号の間欠受信の動作が能動となる。  【選択図】図１
2009111818.tif 000002
【特許請求の範囲】
【請求項１】
通話音声、制御データ等のデータ信号（Ｓ1）を受信するための受信部（１０）を有する受信機（１）を設け、
前記受信部は、局部発振信号（Ｓ10）を出力するための局部発振回路（１００）と、前記局部発振回路の動作電源を供給するための局部発振電源回路（１０１）と、前記局部発振信号及び前記受信機にて受信される到来電波信号を混合して中間周波数を生成し検波して受信信号（Ｓ11）を出力するための受信回路（１０２）と、前記受信回路の動作電源を供給するための受信電源回路（１０３）と、前記局部発振回路にて生成される前記局部発振信号の信号レベルを検知するための局部発振レベル監視回路（１０４）と、前記受信回路からの前記受信信号が入力され間欠受信する受信動作制御信号（Ｓ12）を前記局部発振電源回路に出力するための制御回路（１０５）と、前記局部発振レベル監視回路にて前記局部発振信号が検知されて前記局部発振回路の安定発振状態を示す安定発振状態信号（Ｓ13）及び前記受信動作制御信号が入力されて両信号のアンド条件下で前記受信電源回路を制御するためのＡＮＤ回路（１０６）とを備えたことを特徴とする間欠データ受信装置。
【発明の詳細な説明】
【技術分野】
【０００１】
本発明は、通話音声、制御データ等のデータ信号を受信機にて受信する間欠データ送受信装置に係り、特に、受信機における消費電力を抑えて低電力化を図ることができる間欠データ受信装置に関する。
【背景技術】
【０００２】
従来から、この種の間欠データ受信装置として、消費電力を低減させることにより、電池を電源とした無線通信装置等の電池寿命を延ばし、当該装置の連続使用可能時間を長くすることができる受信回路が開示されている（例えば、特許文献１を参照。）。
【０００３】
この受信回路によれば、シンセサイザ及び水晶発振器のうち選択された何れかにて局部発振信号が生成され、ＭＣＡ方式の制御チャンネルにおける待受状態等の消費電力を低減することができる。
【０００４】
【特許文献１】特開平５−１４２３１号公報
【発明の開示】
【発明が解決しようとする課題】
【０００５】
近年、通話音声、制御データ等のデータ信号を受信機にて受信するにあたり、その動作電源としては長寿命の電池が好適される一方、消費電力を十分に抑える要望がある。しかしながら、背景技術に記載した特許文献１の受信回路によれば、シンセサイザの構成としてＶＣＯが備えられているため、電源の投入から局部発振信号の周波数が一定となり安定するまでに一定の時間が必要とされ、この時間内において受信回路の受信動作は正常とならず無駄な電力消費であった。
【０００６】
本発明は、この難点を解消するためになされたもので、受信機における消費電力を抑えて低電力化を図るとともに、間欠受信の動作を安定かつ正常に行うことができる間欠データ受信装置を提供することを目的としている。
【課題を解決するための手段】
【０００７】
前述の目的を達成するため、本発明の間欠データ受信装置は、通話音声、制御データ等のデータ信号を受信するための受信部を有する受信機を設けたものである。受信部は、局部発振信号を出力するための局部発振回路と、局部発振回路の動作電源を供給するための局部発振電源回路と、局部発振信号及び受信機にて受信される到来電波信号を混合して中間周波数を生成し検波して受信信号を出力するための受信回路と、受信回路の動作電源を供給するための受信電源回路と、局部発振回路にて生成される局部発振信号の信号レベルを検知するための局部発振レベル監視回路と、受信回路からの受信信号が入力され間欠受信する受信動作制御信号を局部発振電源回路に出力するための制御回路と、局部発振レベル監視回路にて局部発振信号が検知されて局部発振回路の安定発振状態を示す安定発振状態信号及び受信動作制御信号が入力されて両信号のアンド条件下で受信電源回路を制御するためのＡＮＤ回路とを備えたものである。
【発明の効果】
【０００８】
本発明の間欠データ受信装置によれば、受信機の受信部において、通話音声、制御データ等のデータ信号の到来電波信号が受信された受信回路は、局部発振回路から出力される局部発振信号と到来電波信号とを混合して中間周波数を生成し検波して受信信号を生成し、この受信信号を検出した制御回路がＡＮＤ回路を制御することにより、局部発振回路から受信回路に出力される局部発振信号の発振状態が安定した後に受信電源回路から受信回路に動作電源の供給が開始され、受信回路におけるデータ信号の間欠受信の動作が能動となる。これにより、局部発振電源回路からの動作電源の供給開始時より局部発振信号の周波数が一定となり安定するまでの一定の時間において、受信回路におけるデータ信号の間欠受信動作は開始せず当該受信回路における消費電力が抑えられて低電力化を図ることができるばかりでなく、局部発振信号の周波数が一定となり安定した後に受信回路における間欠受信動作が開始されるため、データ信号を安定かつ正常に間欠受信することができる。
【発明を実施するための最良の形態】
【０００９】
以下、本発明の間欠データ受信装置を適用した最良の実施の形態例について、図面を参照して説明する。
【００１０】
図１（ａ）は、本発明の実施例による間欠データ受信装置の構成を示すブロック図である。この間欠データ受信装置は、通話音声、制御データ等のデータ信号を受信するための受信部１０を有する受信機１が設けられており、このデータ信号は、通常、送信機２の送信部２０から送信されるものである。また、受信機１には、前述の受信部１０と、通話音声が出力される受信機通話部１１と、受信部１０からの信号入力により受信機通話部１１等の当該受信機の構成各部（図示せず。）を制御するための受信機制御部１２とが備えられている。さらに、送信機２には、前述の送信部２０と、通話音声が入力される送信機通話部２１と、送信機通話部２１からの信号入力により送信部２０等の当該送信機の構成各部（図示せず。）を制御するための送信機制御部２２とが備えられている。
【００１１】
また、図１（ｂ）は、本発明の実施例による間欠データ受信装置において、受信機１の受信部１０の具体的な構成を示す回路ブロック図である。この受信部１０には、局部発振信号を出力するための局部発振回路１００と、直流電源Ｖを生成する例えば、電池に接続され局部発振回路１００の動作電源を供給するための局部発振電源回路１０１と、局部発振回路１００からの局部発振信号及びアンテナ１２０にて受信される（送信機２の送信部２０からの）到来電波信号を混合して中間周波数を生成し検波して受信信号（検波受信信号）を後述する制御回路１０５に出力するための受信回路１０２と、直流電源Ｖを生成する例えば、電池に接続され受信回路１０２の動作電源を供給するための受信電源回路１０３と、局部発振回路１００にて生成される局部発振信号の信号レベルを検知し、当該局部発振回路の安定発振状態を監視するための局部発振レベル監視回路１０４と、受信回路１０２からの受信信号が入力され間欠受信する受信動作制御信号を局部発振電源回路１０１及び後述するＡＮＤ回路１０６にそれぞれ出力するための制御回路１０５と、局部発振レベル監視回路１０４にて局部発振信号が検知されて局部発振回路１００の安定発振状態を示す安定発振状態信号及び制御回路１０５からの受信動作制御信号がそれぞれ第１、第２の各入力端子Ｐ1、Ｐ2に入力され、両信号のアンド条件下で受信電源回路１０３を制御するための信号を出力端子Ｐ3から出力するＡＮＤ回路１０６とが備えられている。
【００１２】
このように構成された本発明の実施例による間欠データ受信装置において、以下、具体的な動作について、図面を参照して説明する。
【００１３】
図１（ａ）、（ｂ）に示す受信機１の受信部１０にて間欠データの受信動作を行うにあたり、送信機２の送信部２０からの後述する到来電波信号が受信回路１０２を構成するアンテナ１２０にて受信されていない場合において、局部発振電源回路１０１及び受信電源回路１０３はそれぞれ、消費電力の小さい待機電源を局部発振回路１００及び受信回路１０２に供給している。
【００１４】
次に、図１（ａ）に示す送信機２の送信機制御部２２の制御により、送信部２０から例えば、送信機通話部２１にて入力された通話音声、送信機制御部２２にて生成された制御データ等のデータ信号Ｓ1が受信機１に送信され、このデータ信号Ｓ1の到来電波信号が図１（ｂ）に示す受信部１０の受信回路１０２を構成するアンテナ１２０にて受信されると、受信回路１０２は、前述の待機電源を受電した局部発振回路１００から継続して出力されている（非安定の）局部発振信号Ｓ10とアンテナ１２０にて受信された到来電波信号とを混合して中間周波数を生成し検波して、受信信号（検波受信信号）Ｓ11を制御回路１０５に出力する。
【００１５】
また、図１（ｂ）に示す受信機１の受信部１０において、制御回路１０５は、受信回路１０２からの受信信号Ｓ11が入力されると、間欠受信の動作を能動とする通常、一定の周期でオン／オフが切り換わる受信動作制御信号Ｓ12を生成して局部発振電源回路１０１及びＡＮＤ回路１０６の第２の入力端子Ｐ2にそれぞれ出力することにより、この第２の入力端子Ｐ2はＨ（Ｈｉｇｈ）レベルとなる。ここで、局部発振電源回路１０１は、受信動作制御信号Ｓ12がＨレベルとなるタイミングで局部発振回路１００に動作電源を供給するため、局部発振回路１００における消費電力を抑えることができ省電力化が図られる。
【００１６】
また、図１（ｂ）に示す受信機１の受信部１０において、局部発振レベル監視回路１０４は、局部発振回路１００から受信回路１０２に出力される局部発振信号Ｓ10の信号レベルを検知し、局部発振電源回路１０１からの動作電源の供給開始時より一定の時間が経過して局部発振回路１００の発振状態が安定になると、安定発振状態信号Ｓ13を生成してＡＮＤ回路１０６の第１の入力端子Ｐ1に出力することにより、この第１の入力端子Ｐ1はＨレベルとなる一方、前述の一定の時間が経過するまでの間のように局部発振回路１００の発振状態が不安定であると、安定発振状態信号Ｓ13が入力されることはないために第１の入力端子Ｐ1はＬ（Ｌｏｗ）レベルとなる。なお、第１の入力端子Ｐ1がＬレベルとなる状態は、前述の待機電源が局部発振電源回路１０１から局部発振回路１００に供給されている場合も同様である。
【００１７】
また、図１（ｂ）に示す受信機１の受信部１０において、ＡＮＤ回路１０６は、第２の入力端子Ｐ2に制御回路１０５からの受信動作制御信号Ｓ12が入力されてＨレベルとなったとき、第１の入力端子Ｐ1の電位を確認し、局部発振回路１００の発振状態が安定であり局部発振レベル監視回路１０４からの安定発振状態信号Ｓ13が入力されてＨレベルである場合にのみ、すなわち、局部発振電源回路１０１からの動作電源の電源供給の開始時より一定の時間が経過した後に出力端子Ｐ3もＨレベルとなるため、間欠受信の動作を能動とする通常、受信動作制御信号Ｓ12がＨレベルになってから一定時間の経過後にオンとなる一方、受信動作制御信号Ｓ12がＬレベルになるとオフに切り換わる受信動作制御信号Ｓ14が受信電源回路１０３に出力される。ここで、受信電源回路１０３は、受信動作制御信号Ｓ14がＨレベルとなるタイミングで受信回路１０２に動作電源を供給するため、受信回路１０２における消費電力を抑えた状態でデータ信号Ｓ1の間欠受信の動作を安定かつ正常に行うことができ、低電力化も図られる。
【００１８】
さらに、図１（ｂ）に示す受信機１の受信部１０において、受信回路１０２にて安定かつ正常に受信されたデータ信号Ｓ1は、制御回路１０５から図１（ａ）に示す受信機制御部１２に伝送され、通話音声の場合には受信機通話部１１から出力されることになる一方、制御データの場合には当該制御データの内容に対応した制御が行われることになる。
【００１９】
前述までの説明から明らかなように、受信機１の受信部１０において、通話音声、制御データ等のデータ信号Ｓ1の到来電波信号が受信された受信回路１０２は、局部発振回路１００から出力される局部発振信号Ｓ10と到来電波信号とを混合して中間周波数を生成し検波して受信信号Ｓ11を生成し、この受信信号Ｓ11を検出した制御回路１０５がＡＮＤ回路１０６を制御することにより、局部発振回路１００から受信回路１０２に出力される局部発振信号Ｓ10の発振状態が安定した後に受信電源回路１０３から受信回路１０２に動作電源の供給が開始され、受信回路１０２におけるデータ信号Ｓ1の間欠受信の動作が能動となる。これにより、局部発振電源回路１０１からの動作電源の供給開始時より局部発振信号Ｓ10の周波数が一定となり安定するまでの一定の時間において、受信回路１０２におけるデータ信号Ｓ1の間欠受信動作は開始せず当該受信回路における消費電力が抑えられて低電力化を図ることができるばかりでなく、局部発振信号Ｓ10の周波数が一定となり安定した後に受信回路１０２における間欠受信動作が開始されるため、データ信号Ｓ1を安定かつ正常に間欠受信することができる。
【００２０】
なお、本発明の実施例によれば、図１（ａ）に示すように、送信機２の送信部２０から送信される通話音声、制御データ等のデータ信号Ｓ1を受信するための受信部１０を有する受信機１のように、データ信号Ｓ1の送信元の機器と受信先の機器とに分け、送信機能及び受信機能のうち何れか１の機能のみを備えた機器を有する間欠データ受信装置を適用したが、この態様に限定されるものではない。例えば、本発明の他の実施例として、図２のブロック図に示すように同一な構成の送受信機３を複数、ここでは、２つ設け、図１（ａ）に示す送信部２０及び図１（ｂ）に示す構成の受信部１０と、通話音声を入力・出力するための送受信機通話部３０と、当該送受信機の構成各部を制御するための送受信機制御部３１とを当該送受信機に備えた態様の間欠データ受信装置を適用することもでき、前述の実施例と同様な効果を奏する。
【００２１】
本発明の間欠データ受信装置においては、特定の実施の形態をもって説明してきたが、この形態に限定されるものでなく、本発明の効果を奏する限り、これまで知られた如何なる構成の間欠データ受信装置であっても採用できるということはいうまでもないことである。
【図面の簡単な説明】
【００２２】
【図１】図１（ａ）は、本発明の実施例による間欠データ受信装置の構成を示すブロック図であり、図１（ｂ）は、当該間欠データ受信装置における受信機の受信部の具体的な構成を示す回路ブロック図である。
【図２】図２は、本発明の他の実施例による間欠データ受信装置の構成を示すブロック図である。
【符号の説明】
【００２３】
１……受信機
１０……受信部
１００……局部発振回路
１０１……局部発振電源回路
１０２……受信回路
１０３……受信電源回路
１０４……局部発振レベル監視回路
１０５……制御回路
１０６……ＡＮＤ回路
Ｓ1……データ信号
Ｓ10……局部発振信号
Ｓ11……受信信号
Ｓ12……受信動作制御信号
Ｓ13……安定発振状態信号
【図１】
2009111818.tif 000003
【図２】
2009111818.tif 000004